(57)【特許請求の範囲】
【請求項１】
使用者の横臥位姿勢の顔面側部の非放射線被爆画像に、セファログラムの測定点に代わり、顔面表皮上における耳珠と鼻根凹部と鼻下部と唇下凹部とを含む複数の計測点を指示して上顎突出度と下顎突出度を計測し、この計測値を演算制御装置へ入力するとともに、該演算制御装置によって、上顎突出度と下顎突出度を基に非放射線被爆画像とセファログラムの相関関係を条件に、睡眠時における枕の適正な高さと顔面角度を演算し、かつこの演算結果に対応する複数種の調整部材とその数量およびその組合せを演算し、この演算結果を基に前記調整部材を使用し睡眠時における枕の適正な高さと顔面角度を調整することを特徴とする枕による寝姿勢の調整方法。
【請求項２】
前記複数の計測点の他に、下顎点と下顎角点を設ける請求項１記載の枕による寝姿勢の調整方法。
【請求項３】
前記非放射線被爆画像を基本画像として撮影後、計測治具を介し頚椎の高さを調整し、この状態を非放射線被爆撮影手段により解析用画像として撮影し、この解析用画像を演算制御装置へ入力する請求項１記載の枕による寝姿勢の調整方法。
【請求項４】
前記複数種の調整部材の使用の要否と、使用する各調整部材の数量を演算し、各調整部材を組合せ重合配置して睡眠時における枕の高さと顔面角度を調整する請求項１記載の枕による寝姿勢の調整方法。
【請求項５】
前記調整部材は、頚椎部を載置して頚椎の高さを調整する頚椎ベースパッドと、使用時は枕の底部側に配置して枕の高さを調整する高さ調整パッドと、高さ調整パッドと頚椎ベースパッドとの間に配置し、寝姿勢の顔面角度を調整する角度調整パッドと、からなり、各パッドの要否と使用数を調整し、各パッドを重合して配置する請求項１記載の枕による寝姿勢の調整方法。
【請求項６】
前記頚椎ベースパッドは、柔らかな合成樹脂製の二種類のパッドを上下に重合して配置し、各パッドは表面に二つの緩やかな山形の凸部を有し、裏面に二つの緩やかな凹状湾曲面を有し、上側のパッドの凹状湾曲面に下側のパッドの凸部を係合可能に形成し、前記角度調整パッドは、柔らかな合成樹脂製の三種類のパッドの一を選択して配置し、その一のパッドは薄厚の平板状に形成し、その他のパッドは表面に高さを異にする緩やかな山形の凸部を有し、裏面を平坦面に形成し、前記高さ調整パッドは、頚椎ベースパッドよりも硬い薄厚の平板状に形成する請求項５記載の枕による寝姿勢の調整方法。
【請求項７】
各パッドの調整と選択に備え、枕の使用者に対する問診と、顔面側部の非放射線被爆画像の撮影と、前記画像を基に前記上顎突出度と下顎突出度の計測と、を行う請求項１記載の枕による寝姿勢の調整方法。
【請求項８】
前記各パッドの調整と選択のために、一または複数の頚椎ベースパッドと、零ないし複数の高さ調整パッドと、零または一の角度調整パッドとを重合し、その上部の二位置に頭部重量相当の錘を載置し、錘載置後の高さと顔面相当角度を計測する請求項７記載の枕による寝姿勢の調整方法。
【請求項９】
前記一の頚椎ベースパッドと、零ないし複数の高さ調整パッドと、零または一の角度調整パッドを重合し、それらに前記錘を同位置に載置して錘載置後の高さと顔面相当角度を計測する請求項８記載の枕による寝姿勢の調整方法。
【請求項１０】
前記複数の頚椎ベースパッドと、零ないし複数の高さ調整パッドとを重合し、零または一の角度調整パッドを重合し、それらに前記錘を同位置に載置して錘載置後の高さを計測する請求項８記載の枕による寝姿勢の調整方法。
【請求項１１】
前記頚椎ベースパッドによる高さ調整は、一の頚椎ベースパッドと零ないし複数の高さ調整パッドとを重合する低タイプ高さ調整と、複数の頚椎ベースパッドと零ないし複数の高さ調整パッドとを重合する高タイプ高さ調整と、を含む請求項９または１０記載の枕による寝姿勢の調整方法。
【請求項１２】
前記一または複数の頚椎ベースパッドと、零ないし複数の高さ調整パッドと、零または一の角度調整パッドとを組み合わせて重合し、それらの上部に頭部重量相当の錘を載置し、それらの錘載置後の高さと顔面相当角度を計測し、各組み合わせの高さと顔面相当角度を累積し、各累積値と前記低タイプ高さ調整または高タイプ高さ調整入力を基に、前記睡眠時における枕の高さと顔面角度に対応する各パッドの組み合わせを検索する請求項８乃至１１の何れか一項記載の枕による寝姿勢の調整方法。
【請求項１３】
枕の高さと顔面角度の演算結果に対応する各種調整部材の組み合わせと配置を、演算制御装置の表示器に表示する請求項１記載の枕による寝姿勢の調整方法。
【請求項１４】
前記枕の両側に使用者の好みの硬さの充填材を配置する請求項１記載の枕による寝姿勢の調整方法。
【請求項１５】
使用者の横臥位姿勢の顔面側部の非放射線被爆画像に、セファログラムの測定点に代わり、顔面表皮上における耳珠と鼻根凹部と鼻下部と唇下凹部とを含む複数の計測点を指示して上顎突出度と下顎突出度を計測し、この計測値を演算制御装置へ入力可能にするとともに、該演算制御装置によって、前記上顎突出度と下顎突出度を基に非放射線被爆画像とセファログラムの相関関係を条件に、睡眠時における枕の適正な高さと顔面角度を演算可能にし、かつこの演算結果に対応する複数種の調整部材とその数量およびその組合せを演算可能にし、この演算結果を基に前記調整部材を使使し睡眠時における枕の適正な高さと顔面角度を調整可能にしたことを特徴とする調整枕。
【請求項１６】
前記複数の計測点の他に、下顎点と下顎角点を設けた請求項１５記載の調整枕。
【請求項１７】
前記調整部材は、頚椎部を載置して頚椎の高さを調整する頚椎ベースパッドと、使用時は枕の底部側に配置して枕の高さを調整する高さ調整パッドと、高さ調整パッドと頚椎ベースパッドとの間に配置し、寝姿勢の顔面角度を調整する角度調整パッドと、からなり、各種パッドの要否と使用数を調整し、各パッドを重合して配置可能にした請求項１５記載の調整枕。
【請求項１８】
前記頚椎ベースパッドは、柔らかな合成樹脂製の二種類のパッドを上下に重合して配置され、各パッドは表面に二つの緩やかな山形の凸部を有し、裏面に二つの緩やかな凹状湾曲面を有し、上側のパッドの凹状湾曲面に下側のパッドの凸部を係合可能に形成され、前記角度調整パッドは、柔らかな合成樹脂製の三種類のパッドの一を選択して配置され、その一のパッドは薄厚の平板状に形成され、その他のパッドは表面に高さを異にする緩やかな山形の凸部を有し、裏面を平坦面に形成し、前記高さ調整パッドは、頚椎ベースパッドよりも硬い薄厚の平板状に形成した請求項１７記載の調整枕。
【請求項１９】
前記頚椎ベースパッドを後頭部と頸椎を載置可能な断面形状に形成し、その下面に角度調整パッドと係合可能な二つの凹状湾曲面を形成した請求項１７記載の調整枕。
【請求項２０】
前記頚椎ベースパッドと角度調整パッドを平面視略同形に形成した請求項１７記載の調整枕。
【請求項２１】
前記頚椎ベースパッドと角度調整パッドを柔軟なパッドケースに重合して収容し、該パッドケースを、枕の内部を上下に区画した上側区画室の中央部に配置した請求項１７記載の調整枕。
【請求項２２】
前記高さ調整パッドを前記頚椎ベースパッドおよび角度調整パッドよりも大きく、かつ枕と略同大に形成した請求項１７記載の調整枕。
【請求項２３】
前記角度調整パッドを平板、または表面に高さを異にする二つの凸部を有する波形断面に形成し、その裏面を平坦に形成した請求項１７記載の調整枕。
【請求項２４】
前記平板の角度調整パッドによる調整角度を零度、角度調整パッドによる調整角度と高さを、二つの凸部によってそれぞれ二様に設定した請求項１７記載の調整枕。
【請求項２５】
前記枕の上側区画室の両側に使用者の好みの硬さの充填材を充填したサイドパックを配置した請求項２１記載の調整枕。
【請求項２６】
前記頚椎ベースパッドと高さ調整パッドと角度調整パッド、およびサイドパックを枕に出し入れ可能にした請求項２５記載の調整枕。
【発明の詳細な説明】
【技術分野】
【０００１】
本発明は、放射線被爆の心配がなく、枕の使用者の顔面側部画像を基に睡眠時における枕の最適な高さと顔面角度を安全で安価かつ合理的に解析し、その解析結果を基に寝姿勢における枕の最適な高さと顔面角度を調整し、理想的な寝姿勢と寝呼吸を得られ快適で質の高い睡眠を得られるとともに、無呼吸睡眠を防止できる、枕による寝姿勢の調整方法および調整枕に関する。
【背景技術】
【０００２】
睡眠は疲労回復に重要であり、快適な睡眠と質の高い睡眠を得るためには、睡眠に使用する枕は使用者の体格や体形に応じた最適なものを使用する必要があり、このような要請に応ずる枕が種々提案されている。
例えば、枕本体の上部に高さ調節用のウレタン製のシート体を必要枚数重ね、その都度筋力テストを行なって最適高さを確認し、この上部をウレタンフィルターを用いた被覆体で被い、その上に頭部や首を載置して、枕の高さを小刻みに調節するようにしたものがある（例えば、特許文献１参照）。
【０００３】
しかし、この高さ調節法は、シート体を重ねる度に筋力テストを要して煩わしく、またそのような高さ調節は使用者の恣意によることが多くて合理性を欠き、しかもシート体の安定性が悪く位置ずれを生じて、所期の目的を達成できないという問題があった。
【０００４】
このような問題を解決するものとして、球状綿を充填した頭部パックと、頭部パックの１／３幅で、ポリエチレン製の短小パイプを布袋に充填した頚椎パックと、頚椎パックの両側に配置され、頭部パックと同程度の球状綿を充填し、頚椎パックよりも若干肉厚に形成した横寝用パックと、発泡ポリエステル製軟質シートからなる０.５ｍｍ厚の調整用シートと、頭部パックと頚椎パックとの間に配置するシート上の固定部材とを備え、布袋内の一端の底部に利用者の後頭部の形状に合わせて複数の調整用シートを積み重ね、該調整用シート上に頚椎パックと横寝用パックを載置し、布袋内の他端に頭部パックを配置して、頚椎部分の高さを調節するようにした枕がある（例えば、特許文献２参照）。
【０００５】
しかし、前記枕の頭部パックと頚椎パックと横寝用パックは硬さや厚みが一定に構成されて、それらの選択の余地がなく、また調整用シートの配置も利用者が恣意的に行なっているため合理性を欠き、利用者に応じて頚椎部分の高さを的確に調節できないという問題があった。
【０００６】
前記問題を解決するものとして、球状綿を充填した頭部パックと、頭部パックの１／３幅で、ポリエチレン製の短小パイプを布袋に充填した頚椎パックと、頚椎パックの両側に配置され、頭部パックと同程度の球状綿を充填し、頚椎パックよりも若干肉厚に形成した横寝用パックと、５ｍｍ程度の厚さのシートで３枚用意され、これらを適宜積み重ねて頚椎パックの高さを調整用するピロー調節シートと、約１０ｍｍ厚の発泡ウレタン製のシート２枚を準備し、これらを適宜積み重ね、その上にピロー調節シートを載置するセンターシートと、センターシートと同大でセンターシートの直下に配置される約２０ｍｍ厚のベースシートと、ベースシートの一端のテーパ部に載置する三角柱状の肩シートとを備え、これらを適宜取捨選択し組み合わせてシステム化し、枕の高さを７０〜８５ｍｍと、５０〜６５ｍｍと、３０〜４５ｍｍの三段階の高さに調整し、利用者の体形に合わせて頚椎パックの高さを的確に調整するようにしたものがある（例えば、特許文献３参照）。
【０００７】
しかし、前記枕の頭部パックと頚椎パックと横寝用パックは硬さや厚みが一定に構成されて、それらに選択の余地がなく、またピロー調節シートやセンターシートおよびベースシートの配置が利用者の恣意的に行なわれるため、それらの配置に合理性を欠き、利用者に応じて頚椎パックの高さを的確に調節できないという問題があった。
【０００８】
そこで、利用者に最適な枕を提供するために、睡眠の良否や質に関係する睡眠時の寝呼吸や寝姿勢等に影響する頚椎高さや顎の状態、骨格等の身体的な特徴を客観的に計測し、この計測デ−タを基に最適な枕を合理的に選定ないし設計することが望まれている。
このような試みは、歯科検診ないし矯正診断において、顎顔面部の骨格形態を調べる方法として、頭部Ｘ線規格写真を駆使したセファログラムが利用されている。
しかし、セファログラムは放射線被爆による人体への影響の問題があるため、近年その利用が制限され、また解析に時間が掛かり高価になるため、セファログラムに代わる身体の計測とその利用法が望まれている。
【０００９】
このような要請に応ずるものとして、逆Ｌ字形の支持部に二つのスライダーを摺動可能に装着し、このスライダーに圧接端子を進退可能に設けるとともに、支持部の一の圧接板に圧接端子を進退可能に設け、これらの圧接端子を顔面のｓＮ点またはｓＮ‘点、ｓＡ点、ｓＢ点に圧接し、前記各点の幾何学的一関係によって顎顔面形態を計測し、これらの圧接端子により計測される角度と、セファログラム分析により計測されるＡＮＢ角との相関関係を予め求め、この相関関係を基に前記圧接端子により計測される角度からセファログラム分析により計測されるＡＮＢ角を推定するようにした顎顔面形態計測装置がある（例えば、特許文献４参照）。
【００１０】
しかし、前記計測装置の製作は精密性を要する上に、各圧接端子を顔面の所定位置に押し当てる作業が難しく、また時間が掛かり、しかも計測の正確性を得られないという問題があって、この計測データを基に最適な枕を合理的に選定ないし設計することが難しいという問題があった。
【００１１】
また、放射線被爆のない他の計測装置として、縦部材の下端部に横部材を垂直に取付けるとともに、縦部材の中間部に装着孔を形成し、該装着孔に測定部材を挿入し、計測時に横部材を両肩の肩甲骨部に水平に当接させて、測定部材の先端部を頚椎部に押し当て、その際の測定部材の突出長さを目盛で計測して、頚椎高さを測定する頚椎高さ測定器がある（例えば、特許文献５参照）。
【００１２】
しかし、前記測定器による測定法は粗雑で精密性を欠き、計測データの精度や信頼性に欠けるとともに、このデータの利用の信頼性を得難い上に、頚椎高さしか得られないため、この計測データを基に最適な枕を合理的に選定ないし設計することは難しいという問題があった。
【００１３】
ところで、発明者は放射線被爆のない計測装置としてデジタルカメラに着目し、セファログラムの側面頭部骨格写真の代わりにデジタルカメラの写真画像を使用し、その写真画像にセファログラムの測定点に対応する測定点を指示して、上顎突出度や下顎突出度および頭蓋底の長さを計測し、デジタルカメラの計測値とセファログラムの各計測値との相関関係を解析したところ、それらに一定の相関関係があることを確認している（例えば、非特許文献１参照）。
そこで、その相関関係を基にデジタルカメラの写真画像を使用して顔面表皮による仮想顔面骨格を計測し、その計測結果を基に使用者に適切な枕を提供して、快適な睡眠と質の高い睡眠を得られ、しかも無呼吸睡眠を防止できる枕の開発を考えた。
【先行技術文献】
【特許文献】
【００１４】
【特許文献１】特開２００１−１６９８８７号公報
【特許文献２】特開２００６−１２２５８４号公報
【特許文献３】特開２００７−４９３号公報
【特許文献４】特開２００６−１１５９９０公報
【特許文献５】実用新案登録第３１０８４６２号公報
【非特許文献】
【００１５】
【非特許文献１】直里達也  側面頭部Ｘ線規格写真（セファログラム）とデジタルカメラによる側面頭部写真との関係について  ２０１３.８.２３  第２１回睡眠環境学会（第３１回睡眠環境シンポジウム）
【発明の開示】
【発明が解決しようとする課題】
【００１６】
本発明はこのような問題を解決し、放射線被爆の心配がなく、枕の使用者の顔面側部画像を基に睡眠時における枕の最適な高さと顔面角度を安全で安価かつ合理的に解析し、その解析結果を基に寝姿勢における枕の最適な高さと顔面角度を調整し、理想的な寝姿勢と寝呼吸を得られ快適で質の高い睡眠を得られるとともに、無呼吸睡眠を防止できる、枕による寝姿勢の調整方法および調整枕を提供することを目的とする。
【課題を解決するための手段】
【００１７】
請求項１の発明は、使用者の横臥位姿勢の顔面側部の非放射線被爆画像に、セファログラムの測定点に代わり、顔面表皮上における耳珠と鼻根凹部と鼻下部と唇下凹部とを含む複数の計測点を指示して上顎突出度と下顎突出度を計測し、この計測値を演算制御装置へ入力するとともに、該演算制御装置によって、上顎突出度と下顎突出度を基に非放射線被爆画像とセファログラムの相関関係を条件に、睡眠時における枕の適正な高さと顔面角度を演算し、かつこの演算結果に対応する複数種の調整部材とその数量およびその組合せを演算し、この演算結果を基に前記調整部材を使用し睡眠時における枕の適正な高さと顔面角度を調整し、睡眠時における枕の最適な高さと顔面角度を安全で安価かつ合理的に解析するとともに、前記計測デ−タを基に枕の適正な高さと顔面角度を演算し、この演算結果に対応する調整法を調整部材とその数量および組合せを基に具体的に指示し、この指示を基に睡眠時における枕の最適な高さと顔面角度を合理的かつ簡便に調整し、理想的な寝姿勢と寝呼吸状態を得られ、快適で質の高い睡眠を得られるとともに、無呼吸睡眠を防止し得るようにしている。
請求項２の発明は、複数の計測点の他に、下顎点と下顎角点を設け、顔面骨格の位置関係を特定し、上顎突出度と下顎突出度の計測精度を向上するようにしている。  
【００１８】
請求項３の発明は、非放射線被爆画像を基本画像として撮影後、計測治具を介し頚椎の高さを調整し、この状態を非放射線被爆撮影手段により解析用画像として撮影し、この解析用画像を演算制御装置へ入力し、顔面骨格の位置関係と顔面角度を正確に撮影可能にするとともに、解析用画像の利用を促すようにしている。
請求項４の発明は、複数種の調整部材の使用の要否と、使用する各調整部材の数量を演算し、各調整部材を組合せ重合配置して睡眠時における枕の高さと顔面角度を調整し、演算制御装置によって複数種の調整部材の使用の要否と、使用する各調整部材の数量を指示し、指示された調整部材によって所期の調整を容易かつ正確に行なえるようにしている。
【００１９】
請求項５の発明は、調整部材は、頚椎部を載置して頚椎の高さを調整する頚椎ベースパッドと、使用時は枕の底部側に配置して枕の高さを調整する高さ調整パッドと、高さ調整パッドと頚椎ベースパッドとの間に配置し、寝姿勢の顔面角度を調整する角度調整パッドと、からなり、各パッドの要否と使用数を調整し、各パッドを重合して配置し、合理的な３種類のパッドを使用し、これらを有機的に配置するとともに、各パッドの組み込み法を演算制御装置の指示に基いて容易に行なえるようにしている。
請求項６の発明は、頚椎ベースパッドは、柔らかな合成樹脂製の二種類のパッドを上下に重合して配置し、各パッドは表面に二つの緩やかな山形の凸部を有し、裏面に二つの緩やかな凹状湾曲面を有し、上側のパッドの凹状湾曲面に下側のパッドの凸部を係合可能に形成し、前記角度調整パッドは、柔らかな合成樹脂製の三種類のパッドの一を選択して配置し、その一のパッドは薄厚の平板状に形成し、その他のパッドは表面に高さを異にする緩やかな山形の凸部を有し、裏面を平坦面に形成し、前記高さ調整パッドは、頚椎ベースパッドよりも硬い薄厚の平板状に形成し、二種類のパッドを重合かつ係合して配置し、また三種類のパッドを選択して使用し、頚椎ベ−スパッドと角度調整パッドを安定して支持するようにしている。
請求項７の発明は、各パッドの調整と選択に備え、枕の使用者に対する問診と、顔面側部の非放射線被爆画像の撮影と、前記画像を基に前記上顎突出度と下顎突出度の計測と、を行ない、簡単な方法によって合理的な解析と使用者の顔面骨格情報を得られるようにしている。
【００２０】
請求項８の発明は、各パッドの調整と選択のために、一または複数の頚椎ベースパッドと、零ないし複数の高さ調整パッドと、零または一の角度調整パッドとを重合し、その上部の二位置に頭部重量相当の錘を載置し、錘載置後の高さと顔面相当角度を計測して、各パッドを重合した睡眠時における実際の枕の高さと顔面角度を実測し、その計測データを基に頚椎ベースパッドと高さ調整パッドの使用数量を調整するとともに、角度調整パッドを選択して、実際の枕の使用状態に即して的確に調整し得るようにしている。
請求項９の発明は、一の頚椎ベースパッドと、零ないし複数の高さ調整パッドと、零または一の角度調整パッドを重合し、それらに前記錘を同位置に載置して錘載置後の高さと顔面相当角度を計測し、頚椎ベースパッドと高さ調整パッドと角度調整パッドとの組み合わせによる枕の高さを実測して、実際の枕の使用状態に即した計測データを収集し、枕の高さと顔面角度調整の正確性を確保するようにしている。
【００２１】
請求項１０の発明は、複数の頚椎ベースパッドと、零ないし複数の高さ調整パッドとを重合し、零または一の角度調整パッドを重合し、それらに前記錘を同位置に載置して錘載置後の高さを計測し、頚椎ベースパッドと高さ調整パッドと角度調整パッドとの組み合わせによる枕の高さを実測して、実際の枕の使用状態に即した計測データを収集し、枕の高さと顔面角度調整の正確性を確保するようにしている。
請求項１１の発明は、頚椎パッドによる高さ調整は、一の頚椎ベースパッドと零ないし複数の高さ調整パッドとを重合する低タイプ高さ調整と、複数の頚椎ベースパッドと零ないし複数の高さ調整パッドとを重合する高タイプ高さ調整と、を含み、頚椎パッドの高さ調整を低タイプ高さ調整と高タイプ高さ調整に分けて、使用パッドの検索の簡便化に供するようにしている。
【００２２】
請求項１２の発明は、一または複数の頚椎ベースパッドと、零ないし複数の高さ調整パッドと、零または一の角度調整パッドとを組み合わせて重合し、それらの上部に頭部重量相当の錘を載置し、それらの錘載置後の高さと顔面相当角度を計測し、各組み合わせの高さと顔面相当角度を累積し、各累積値と前記低タイプ高さ調整または高タイプ高さ調整入力を基に、前記睡眠時における枕の高さと顔面角度に対応する各パッドの組み合わせを検索し、種々の実測データを基に最適な枕の高さと顔面角度を形成可能な各パッドの組み合わせを的確かつ簡便に得られるようにしている。
請求項１３の発明は、枕の高さと顔面角度の演算結果に対応する各種調整部材の組み合わせと配置を、演算制御装置の表示器に表示し、調整に使用する調整部材の組み合わせと配置を具体的に視認させるようにしている。
請求項１４の発明は、枕の両側に使用者の好みの硬さの充填材を配置し、枕の硬さを使用者に応じて調整し得るようにしている。
【００２３】
請求項１５の発明は、使用者の横臥位姿勢の顔面側部の非放射線被爆画像に、セファログラムの測定点に代わり、顔面表皮上における耳珠と鼻根凹部と鼻下部と唇下凹部とを含む複数の計測点を指示して上顎突出度と下顎突出度を計測し、この計測値を演算制御装置へ入力可能にするとともに、該演算制御装置によって、前記上顎突出度と下顎突出度を基に非放射線被爆画像とセファログラムの相関関係を条件に、睡眠時における枕の適正な高さと顔面角度を演算可能にし、かつこの演算結果に対応する複数種の調整部材とその数量およびその組合せを演算可能にし、この演算結果を基に前記調整部材を使用して睡眠時における枕の適正な高さと顔面角度を調整可能にし、睡眠時における枕の最適な高さと顔面角度を安全で安価かつ合理的に解析するとともに、前記計測データを基に枕の適正な高さと顔面角度を演算し、この演算結果に対応する調整方法を調整部材とその数量および組合せを基に具体的に指示し、この指示を基に睡眠時における枕の最適な高さと顔面角度を合理的かつ簡便に調整し、理想的な寝姿勢と寝呼吸状態を得られ、快適で質の高い睡眠を得られるとともに、無呼吸睡眠を防止し得る調整枕を提供し得るようにしている。
請求項１６の発明は、複数の計測点の他に、下顎点と下顎角点を設け、上顎突出度と下顎突出度の計測精度を向上するようにしている。
【００２４】
請求項１７の発明は、調整部材は、頚椎部を載置して頚椎の高さを調整する頚椎ベースパッドと、使用時は枕の底部側に配置して枕の高さを調整する高さ調整パッドと、高さ調整パッドと頚椎ベースパッドとの間に配置し、寝姿勢の顔面角度を調整する角度調整パッドと、からなり、各種パッドの要否と使用数を調整し、各パッドを重合して配置可能にし、枕の高さと寝姿勢の顔面角度をきめ細かに調整し得るようにしている。
請求項１８の発明は、頚椎ベースパッドは、柔らかな合成樹脂製の二種類のパッドを上下に重合して配置され、各パッドは表面に二つの緩やかな山形の凸部を有し、裏面に二つの緩やかな凹状湾曲面を有し、上側のパッドの凹状湾曲面に下側のパッドの凸部を係合可能に形成され、前記角度調整パッドは、柔らかな合成樹脂製の三種類のパッドの一を選択して配置され、その一のパッドは薄厚の平板状に形成され、その他のパッドは表面に高さを異にする緩やかな山形の凸部を有し、裏面を平坦面に形成し、前記高さ調整パッドは、頚椎ベースパッドよりも硬い薄厚の平板状に形成し、頚椎ベースパッドと角度調整パッドを合理的に構成し、各パッドによる多様な調整に応じられるようにしている。
請求項１９の発明は、頚椎ベースパッドを後頭部と頸椎を載置可能な断面形状に形成し、その下面に角度調整パッドと係合可能な二つの凹状湾曲面を形成し、頚椎ベースパッドと角度調整パッドの断面形状を具体化し、それらの良好な重合状態を形成して、調整状態の安定化と調整後の位置ずれを防止し得るようにしている。
【００２５】
請求項２０の発明は、頚椎ベースパッドと角度調整パッドを平面視略同形に形成し、頚椎ベースパッドと角度調整パッドを容易かつコンパクトに収納し得るようにしている。
請求項２１の発明は、頚椎ベースパッドと角度調整パッドを柔軟なパッドケースに重合して収容し、該パッドケースを、枕の内部を上下に区画した上側区画室の中央部に配置し、頚椎ベースパッドと角度調整パッドを密着させてそれらの移動を抑止し、安定した調整状態を維持し得るようにしている。
請求項２２の発明は、高さ調整パッドを前記頚椎ベースパッドおよび角度調整パッドよりも大きく、かつ枕と略同大に形成し、頚椎ベースパッドと角度調整パッドを安定して支持し得るようにしている。
請求項２３の発明は、角度調整パッドを平板、または表面に高さを異にする二つの凸部を有する波形断面に形成し、その裏面を平坦に形成して、角度調整パッドの多様化と多様な枕の高さと顔面角度を得られ、枕の高さと顔面角度をきめ細かに調整し得るとともに、安定した収納状態を得られるようにしている。
【００２６】
請求項２４の発明は、平板の角度調整パッドによる調整角度を零度、角度調整パッドによる調整角度と高さを、二つの凸部によってそれぞれ二様に設定し、角度調整パッドの構成の簡潔化を図るとともに、二つの凸部による二様の設定によって部品点数を低減し、製作費を低減し得るとともに、一の角度調整パッドによって簡便に調整し得るようにしている。
請求項２５の発明は、枕の上側区画室の両側に使用者の好みの硬さの充填材を充填したサイドパックを配置し、使用者の好みの硬さの枕を得られるようにしている。
請求項２６の発明は、頚椎ベースパッドと高さ調整パッドと角度調整パッド、およびサイドパックを枕に出し入れ可能にし、各パッドの調整およびメンテナンスを簡便に行なえるようにしている。
【発明の効果】
【００２７】
請求項１の発明は、使用者の横臥位姿勢の顔面側部の非放射線被爆画像に、セファログラムの測定点に代わり、顔面表皮上における耳珠と鼻根凹部と鼻下部と唇下凹部とを含む複数の計測点を指示して上顎突出度と下顎突出度を計測し、この計測値を演算制御装置へ入力するとともに、該演算制御装置によって、上顎突出度と下顎突出度を基に非放射線被爆画像とセファログラムの相関関係を条件に、睡眠時における枕の適正な高さと顔面角度を演算し、かつこの演算結果に対応する複数種の調整部材とその数量およびその組合せを演算し、この演算結果を基に前記調整部材を使用し睡眠時における枕の適正な高さと顔面角度を調整するから、睡眠時における枕の最適な高さと顔面角度を安全で安価かつ合理的に解析するとともに、前記計測データを基に枕の適正な高さと顔面角度を演算し、この演算結果に対応する調整法を調整部材とその数量および組合せを基に具体的に指示し、この指示を基に睡眠時における枕の最適な高さと顔面角度を合理的かつ簡便に調整し、理想的な寝姿勢と寝呼吸状態を得られ、快適で質の高い睡眠を得られるとともに、無呼吸睡眠を防止することができる。
請求項２の発明は、複数の計測点の他に、下顎点と下顎角点を設けるから、顔面骨格の位置関係を特定し、上顎突出度と下顎突出度の計測精度を向上することができる。
【００２８】
請求項３の発明は、前記非放射線被爆画像を基本画像として撮影後、計測治具を介し頚椎の高さを調整し、この状態を非放射線被爆撮影手段により解析用画像として撮影し、この解析用画像を演算制御装置へ入力するから、顔面骨格の位置関係と顔面角度を正確に撮影可能にするとともに、解析用画像の利用を促すことができる。
請求項４の発明は、複数種の調整部材の使用の要否と、使用する各調整部材の数量を演算し、各調整部材を組合せ重合配置して睡眠時における枕の高さと顔面角度を調整し、演算制御装置によって複数種の調整部材の使用の要否と、使用する各調整部材の数量を指示するから、指示された調整部材によって所期の調整を容易かつ正確に行なうことができる
【００２９】
請求項５の発明は、調整部材は、頚椎部を載置して頚椎の高さを調整する頚椎ベースパッドと、使用時は枕の底部側に配置して枕の高さを調整する高さ調整パッドと、高さ調整パッドと頚椎ベースパッドとの間に配置し、寝姿勢の顔面角度を調整する角度調整パッドと、からなり、各パッドの要否と使用数を調整し、各パッドを重合して配置するから、合理的な３種類のパッドを使用して、これらを有機的に配置するとともに、各パッドの組み込み法を演算制御装置の指示に基いて容易に行なうことができる。
請求項６の発明は、頚椎ベースパッドは、柔らかな合成樹脂製の二種類のパッドを上下に重合して配置し、各パッドは表面に二つの緩やかな山形の凸部を有し、裏面に二つの緩やかな凹状湾曲面を有し、上側のパッドの凹状湾曲面に下側のパッドの凸部を係合可能に形成し、前記角度調整パッドは、柔らかな合成樹脂製の三種類のパッドの一を選択して配置し、その一のパッドは薄厚の平板状に形成し、その他のパッドは表面に高さを異にする緩やかな山形の凸部を有し、裏面を平坦面に形成し、前記高さ調整パッドは、頚椎ベースパッドよりも硬い薄厚の平板状に形成するから、二種類のパッドを重合かつ係合して配置し、また三種類のパッドを選択して使用し、頚椎ベースパッドと角度調整パッドを安定して支持することができる。
請求項７の発明は、各パッドの調整と選択に備え、枕の使用者に対する問診と、顔面側部の非放射線被爆画像の撮影と、前記画像を基に前記上顎突出度と下顎突出度の計測と、を行なうから、簡単な方法によって合理的な解析と使用者の顔面骨格情報を得ることができる。
【００３０】
請求項８の発明は、各パッドの調整と選択のために、一または複数の頚椎ベースパッドと、零ないし複数の高さ調整パッドと、零または一の角度調整パッドとを重合し、その上部の二位置に頭部重量相当の錘を載置し、錘載置後の高さと顔面相当角度を計測するから、各パッドを重合した睡眠時における実際の枕の高さと顔面角度を実測し、その計測データを基に頚椎ベースパッドと高さ調整パッドの使用数量を調整するとともに、角度調整パッドを選択して、実際の枕の使用状態に即して的確に調整することができる。
請求項９の発明は、一の頚椎ベースパッドと、零ないし複数の高さ調整パッドと、零または一の角度調整パッドを重合し、それらに前記錘を同位置に載置して錘載置後の高さと顔面相当角度を計測するから、頚椎ベースパッドと高さ調整パッドと角度調整パッドとの組み合わせによる枕の高さを実測して、実際の枕の使用状態に即した計測データを収集し、枕の高さと顔面角度調整の正確性を確保することができる。
【００３１】
請求項１０の発明は、複数の頚椎ベースパッドと、零ないし複数の高さ調整パッドとを重合し、零または一の角度調整パッドを重合し、それらに前記錘を同位置に載置して錘載置後の高さを計測するから、頚椎ベースパッドと高さ調整パッドと角度調整パッドとの組み合わせによる枕の高さを実測して、実際の枕の使用状態に即した計測データを収集し、枕の高さと顔面角度調整の正確性を確保することができる。
請求項１１の発明は、頚椎ベースパッドによる高さ調整は、一の頚椎ベースパッドと零ないし複数の高さ調整パッドとを重合する低タイプ高さ調整と、複数の頚椎ベースパッドと零ないし複数の高さ調整パッドとを重合する高タイプ高さ調整と、を含むから、頚椎ベースパッドの高さ調整を低タイプ高さ調整と高タイプ高さ調整に分けて、使用パッドの検索の簡便化に供することができる。
【００３２】
請求項１２の発明は、一または複数の頚椎ベースパッドと、零ないし複数の高さ調整パッドと、零または一の角度調整パッドとを組み合わせて重合し、それらの上部に頭部重量相当の錘を載置し、それらの錘載置後の高さと顔面相当角度を計測し、各組み合わせの高さと顔面相当角度を累積し、各累積値と前記低タイプ高さ調整または高タイプ高さ調整入力を基に、前記睡眠時における枕の高さと顔面角度に対応する各パッドの組み合わせを検索するから、種々の実測データを基に最適な枕の高さと顔面角度を形成可能な各パッドの組み合わせを的確かつ簡便に得られる効果がある。
請求項１３の発明は、枕の高さと顔面角度の演算結果に対応する各種調整部材の組み合わせと配置を、演算制御装置の表示器に表示するから、調整に使用する調整部材の組み合わせと配置を具体的に視認させることができる。
請求項１４の発明は、枕の両側に使用者の好みの硬さの充填材を配置するから、枕の硬さを使用者に応じて調整することができる。
【００３３】
請求項１５の発明は、使用者の横臥位姿勢の顔面側部の非放射線被爆画像に、セファログラムの測定点に代わり、顔面表皮上における耳珠と鼻根凹部と鼻下部と唇下凹部とを含む複数の計測点を指示して上顎突出度と下顎突出度を計測し、この計測値を演算制御装置へ入力可能にするとともに、該演算制御装置によって、前記上顎突出度と下顎突出度を基に非放射線被爆画像とセファログラムの相関関係を条件に、睡眠時における枕の適正な高さと顔面角度を演算可能にし、かつこの演算結果に対応する複数種の調整部材とその数量およびその組合せを演算可能にし、この演算結果を基に前記調整部材を使用して睡眠時における枕の適正な高さと顔面角度を調整可能にしたから、睡眠時における枕の最適な高さと顔面角度を安全で安価かつ合理的に解析できるとともに、前記計測データを基に枕の適正な高さと顔面角度を演算し、この演算結果に対応する調整方法を調整部材とその数量および組合せを基に具体的に指示し、この指示を基に睡眠時における枕の最適な高さと顔面角度を合理的かつ簡便に調整し、理想的な寝姿勢と寝呼吸状態を得られ、快適で質の高い睡眠を得られるとともに、無呼吸睡眠を防止し得る調整枕を提供することができる。
請求項１６の発明は、複数の計測点の他に、下顎点と下顎角点を設けたから、上顎突出度と下顎突出度の計測精度を向上することができる。
【００３４】
請求項１７の発明は、調整部材は、頚椎部を載置して頚椎の高さを調整する頚椎ベースパッドと、使用時は枕の底部側に配置して枕の高さを調整する高さ調整パッドと、高さ調整パッドと頚椎ベースパッドとの間に配置し、寝姿勢の顔面角度を調整する角度調整パッドと、からなり、各種パッドの要否と使用数を調整し、各パッドを重合して配置可能にしたから、枕の高さと寝姿勢の顔面角度をきめ細かに調整することができる。
請求項１８の発明は、頚椎ベースパッドは、柔らかな合成樹脂製の二種類のパッドを上下に重合して配置され、各パッドは表面に二つの緩やかな山形の凸部を有し、裏面に二つの緩やかな凹状湾曲面を有し、上側のパッドの凹状湾曲面に下側のパッドの凸部を係合可能に形成され、前記角度調整パッドは、柔らかな合成樹脂製の三種類のパッドの一を選択して配置され、その一のパッドは薄厚の平板状に形成され、その他のパッドは表面に高さを異にする緩やかな山形の凸部を有し、裏面を平坦面に形成し、前記高さ調整パッドは、頚椎ベースパッドよりも硬い薄厚の平板状に形成したから、頚椎ベースパッドと角度調整パッドを合理的に構成し、各パッドによる多様な調整に応じられる効果がある。
請求項１９の発明は、頚椎ベースパッドを後頭部と頸椎を載置可能な断面形状に形成し、その下面に角度調整パッドと係合可能な二つの凹状湾曲面を形成したから、頚椎ベースパッドと角度調整パッドの断面形状を具体化し、それらの良好な重合状態を形成して、調整状態の安定化と調整後の位置ずれを防止することができる。
【００３５】
請求項２０の発明は、頚椎ベースパッドと角度調整パッドを平面視略同形に形成したから、頚椎ベースパッドと角度調整パッドを容易かつコンパクトに収納することができる。
請求項２１の発明は、頚椎ベースパッドと角度調整パッドを柔軟なパッドケースに重合して収容し、該パッドケースを、枕の内部を上下に区画した上側区画室の中央部に配置したから、頚椎ベースパッドと角度調整パッドを密着させてそれらの移動を抑止し、安定した調整状態を維持することができる。
請求項２２の発明は、高さ調整パッドを前記頚椎ベースパッドおよび角度調整パッドよりも大きく、かつ枕と略同大に形成したから、頚椎ベースパッドと角度調整パッドを安定して支持することができる。
請求項２３の発明は、角度調整パッドを平板、または表面に高さを異にする二つの凸部を有する波形断面に形成し、その裏面を平坦に形成したから、角度調整パッドの多様化と多様な枕の高さと顔面角度を得られ、枕の高さと顔面角度をきめ細かに調整できるとともに、安定した収納状態を得ることができる。
【００３６】
請求項２４の発明は、平板の角度調整パッドによる調整角度を零度、角度調整パッドによる調整角度と高さを、二つの凸部によってそれぞれ二様に設定したから、角度調整パッドの構成の簡潔化を図るとともに、二つの凸部による二様の設定によって部品点数を低減し、製作費を低減し得るとともに、一の角度調整パッドによって簡便に調整することができる。
請求項２５の発明は、枕の上側区画室の両側に使用者の好みの硬さの充填材を充填したサイドパックを配置したから、使用者の好みの硬さの枕を得ることができる。
請求項２６の発明は、頚椎ベースパッドと高さ調整パッドと角度調整パッド、およびサイドパックを枕に出し入れ可能にしたから、各パッドの調整およびメンテナンスを簡便に行なうことができる。
【図面の簡単な説明】
【００３７】
【図１】本発明を適用した調整枕の調整手順を示す説明図で、（ａ）はスタッフと使用者との問診状態を示す斜視図、（ｂ）は使用者の基本撮影状態を示す正面図、（ｃ）は治具の取り付けと解析用撮影状態を示す正面図、（ｄ）は解析用画像による測定点の指示とそれらの距離と角度の測定状態を正面図、（ｅ）は各種パッドを調整後に試し寝している状況を示す正面図、（ｆ）は試し寝後に各種パッドを調整している状況を示す斜視図、（ｇ）は調整後の確認用撮影の状況を示す斜視図、（ｈ）は調整終了後に枕を手渡している状況を示す斜視図である。
【００３８】
【図２】本発明を適用した調整枕の要部を分解して示す斜視図である。
【図３】本発明に適用した使用者の解析用撮影状態の要部を拡大して示す正面図で、その画像に測定点を指示している。
【図４】本発明を適用した調整枕を硬さ毎に示す斜視図である。
【図５】本発明に適用した頚椎ベースパッドと高さ調整パッドの低タイプ高さ調整における、３通りの組み合わせ状況（ａ）〜（ｃ）を示す斜視図で、それぞれの調整高さを付記している。
【００３９】
【図６】本発明に適用した頚椎ベースパッドと高さ調整パッドの高タイプ高さ調整における、３通りの組み合わせ状況（ａ）〜（ｃ）を示す斜視図で、それぞれの調整高さを付記している。
【図７】本発明に適用した複数の角度調整パッド（ａ）〜（ｃ）と、その各配置状況（イ），（ロ）を示す斜視図で、それらの調整角度と調整高さを付記している。
【図８】本発明に適用した各調整パッドの高さと顔面相当角度θの計測状況を示す説明図で、実際の顔面角度αと顔面角度線ｍ，ｍ’を示している。
【図９】本発明に適用した各調整パッドの高さと顔面角度の計測値を基に作成した調整パッド組み合わせ用検索表である。
【００４０】
【図１０】本発明に適用した演算器に表示された各種調整部材の組み合わせと配置状況を示す斜視図である。
【図１１】本発明の各種パッドによる調整後の調整枕による寝姿勢を示す説明図で、実際の顔面角度αと顔面角度線ｍを示している。
【図１２】従来の枕による寝姿勢を示す説明図で、実際の顔面角度β，γと顔面角度線ｍを示し、（ａ）は顎の位置が高い場合、（ｂ）は顎の位置が低い場合を示している。
【発明を実施するための最良の形態】
【００４１】
以下、本発明を図示の実施形態について説明すると、図１は本発明に適用した調整枕による寝姿勢の調整手順を示している。同図において（ａ）は枕や睡眠に関し専門的な知識を有する枕のメ−カまたは販売店のスタッフ１による問診状況を示し、枕の使用者である相談者２に対し、その氏名、性別、伸長、体重、枕の好みの硬さ等の基本情報を質問し、これを例えば電子記録手段であるタブレット３を介して、その問診情報をタブレット３に内蔵した演算制御装置であるパーソナルコンピュータ（図示略）へ入力している。
図中、４は前記タブレット３上を走査するスタイラス・ペンで、文字入力、タッチ操作入力等をパーソナルコンピュータ（図示略）へ入力している。
【００４２】
前記問診後、使用者２が施術用ベッド５にリラックスした状態で図１（ｂ）のように仰臥し、その仰臥位姿勢を前記タブレット３ないしデジタル若しくはアナログまたはビデオカメラによって非放射線被爆画像として撮影し、その静止像を基本画像としてパーソナルコンピュータ（図示略）へ入力している。実施形態では前記タブレット３によって写真撮影し、その画像をパーソナルコンピュータ（図示略）へ入力している。
前記撮影後、その仰臥位姿勢を維持して顎６を上げ、施術用ベッド５と頚椎７との間に計測治具８を挿入し、該治具８に空気を注入して頚椎７の高さを調整し、この状態を前記タブレット３により解析用画像として撮影し、この解析用画像をパーソナルコンピュータ（図示略）へ入力している。この状況は同図（ｃ）のようである。
【００４３】
前記解析用撮影後、タブレット３上の解析用画像を利用するに当たり、セファログラムの主な分析点ないし計測点である測定点Ｓ（気道の縁），Ｎ（鼻骨前縁縫合の最前点），Ａ（鼻の下と上唇の間の骨の最深点），Ｂ（下唇の下の骨の最深点）等は、外観からは特定できないため、それらに代わる測定点を指示する必要がある。
そこで、セファログラムの前記分析点ないし計測点Ｓ，Ｎ，Ａ，Ｂに代わって、前記解析用画像の顔面表皮上に分析点ないし計測点Ｐ1，Ｐ2，Ｐ3，Ｐ4を設定している。この状況は図１（ｄ）および図３のようである。
【００４４】
これらの図において、Ｐ1は骨外耳道の上縁で、耳の穴の骨の天井部分である耳珠、Ｐ2は鼻根点或いは鼻骨前頭縫合の最前点で眉間の凹んだ辺りの鼻根凹部、Ｐ3は鼻の下と上唇の間の骨の最深点である鼻下部、Ｐ4は下唇の下の骨の最深点である唇下凹部である。
【００４５】
また、この他に顔面骨格の位置関係を特定する測定点として、下顎（オトガイ）正中断面像の最下点としてオトガイ点Ｐ5、下顎後縁平面と下顎下縁平面との交点である下顎角点Ｐ6、を設けている。そして、耳珠Ｐ1と鼻根凹部Ｐ2を基点に二種類の顎顔面角度、すなわち∠Ｐ1Ｐ2Ｐ3による上顎突出度と、∠Ｐ1Ｐ2Ｐ4による下顎突出度を計測している。
更に、施術用ベッド５から頚椎７までの頚椎高さを計測するとともに、寝姿勢における適正な顔面相当角度θないしその顔面角度線ｍとして、鼻根凹部Ｐ2を通る水平線ないし垂直線を求めている。
【００４６】
そして、これらの計測データと、前記パーソナルコンピュータに予め記憶された解析情報を基に、使用者２の顔面骨格に対応した適正な枕の高さと顔面角度を演算し、この演算値を基に寝姿勢における調整枕９の適正な高さと顔面角度を調整している。
図中、Ｊ，Ｋは施術用ベッド５の下部に離間して設定した客観的基準点である水平基準点で、それらの間隔、実施形態では２００ｍｍを基に、前記計測点Ｐ1〜Ｐ6の相対的な距離を演算可能にしている。
【００４７】
前記枕９は横長の略蒲鉾形に形成され、その内部の両側に硬さの異なるソフト、レギュラー、ハードの三種類の充填材を充填した一のサイドパックを配置している。
これらは枕９の端部形状に対応した略鱗形の同形同大に形成され、その外側部にスライドファスナー（図示略）を開閉可能に取付け、その内部にポリエステルまたはポリエチレン製の前記した硬軟の充填材を充填して、サイドパック１３ａ，１３ｂの硬さを調整し、寝返り時における異なった感触を得られるようにしている。実施形態ではサイドパック１３ａ，１３ｂの硬さを、前述のようにソフトタイプ、レギュラータイプ、ハードタイプの三種類に構成している。
【００４８】
前記枕９の長さ方向の一側に開口部１０が設けられ、該開口部１０の開口縁にスライドファスナー１１が開閉可能に取付けられている。
前記枕９の内部に一対の仕切片１２ａ，１２ｂが左右に逢着され、該仕切片１２ａ，１２ｂの下縁部に横長の仕切片１２ｃが逢着され、枕９の内部を上下および左右三室に区画している。
【００４９】
前記上室側の両側室に前記サイドパック１３ａ，１３ｂが着脱可能に収容され、仕切片１２ａ，１２ｂで区画された上側室の中央室１４に、後述する各種の調整パッドが着脱可能に収容され、仕切片１２ｃ直下の下側室に後述する高さ調整パッドが着脱可能に収容されている。
【００５０】
このうち、ソフトタイプのサイドパック１３ａ，１３ｂは、内部にポリエステル製のいわゆる粒綿材を充填し、レギュラータイプのサイドパック１３ａ，１３ｂはポリエチレン製のパイプ材を充填し、ハードタイプのサイドパック１３ａ，１３ｂはレギュラータイプに充填した径および肉厚が相違するポリエチレン製のパイプ材を充填して、それぞれの硬さを調整している。
【００５１】
前記中央室１４に頚椎の高さを調整する二種類の頚椎ベースパッド１７ａ，１７ｂと、寝姿勢の顔面角度を調整する三種類の角度調整パッド１８ａ〜１８ｃとを上下に重合し、これらを伸縮自在な化学繊維製のパッドケース１５に挿入して、重合状態を維持し移動を抑止して、仕切片１２ｃ直下の下側室、つまり枕９の底部側に一または二枚の高さ調整パッド１９を挿入している。
【００５２】
このように本発明は、図４のように硬さの異なる三種類のサイドパック１３ａ，１３ｂを取り揃え、これらのサイドパックによる三種類の硬さの枕９を選択する。
また、図５のように一種類の頚椎ベースパッド１７ａに、０乃至２枚の高さ調整パッド１９を組み合わせた３通りの低タイプ高さ調整と、図６のように二種類の頚椎ベースパッド１７ａ，１７ｂに、０乃至２枚の高さ調整パッド１９を組み合わせた３通りの高タイプ高さ調整とを、有する。
更に、図７のように６種類の顔面角度調整パッド１８ａ〜１８ｃによる６通りの角度調整に、高さ調整を加えて、合計１０８通りの調整ないし選択を可能にしている。
【００５３】
前記低タイプ高さ調整は図５（ａ）〜（ｃ）のように、選択された枕９に対し、一種類の頚椎ベ−スパッド１７ａと、０乃至２枚の高さ調整パッド１９との組み合わせによる三通りの組み合わせによって、２.０〜３.５ｃｍの高さを調整可能にしている。
また、前記高タイプ高さ調整は図６（ａ）〜（ｃ）のように、硬さを選択された枕９に対し、二種類の頚椎ベースパッド１７ａ，１７ｂと、０ないし二枚の高さ調整パッド１９との組み合わせによる、３通りの組み合わせによって４.０〜６.０ｃｍの高さを調整可能にしている。
【００５４】
前記頚椎ベースパッド１７ａ，１７ｂはウレタンフォーム製の矩形板の表面を緩やかに湾曲形成し、その両側に二つの緩やかな山形の凸部を形成し、この一方の凸部に使用者２の頚椎部を載置し、中間部の凹部上に使用者２の後頭部を載置可能にしていて、これらの硬さを略同様に構成している。
前記頚椎ベースパッド１７ａ，１７ｂの裏面の両側に二つの緩やかな凹状湾曲面が形成され、この凹状湾曲面を後述する角度調整パッドの二つの凸部に係合可能に配置し、それらの板厚は一端から他端に掛けて頚椎ベースパッド１７ａが２.４〜５.０ｃｍに漸増し、頚椎ベースパッド１７ｂが２.０〜２.８ｃｍに漸増している。
【００５５】
前記高さ調整パッド１９は枕９より若干小形のポリエチレン製の略矩形板に形成され、その厚さは約０.８ｃｍに形成され、その硬さは頚椎ベースパッド１７ａ，１７ｂよりも硬く構成されていて、これを枕９の底部側に配置し、該高さ調整パッド１９上に角度調整パッドＡ〜Ｃの一を載置し、該角度調整パッドＡ〜Ｃ上に頚椎ベースパッド１７ａ若しくは１７ｂまたは両方を載置している。
【００５６】
前記角度調整パッドは図７（ａ）〜（ｃ）のように、三種類の角度調整パッドＡ〜Ｃからなり、このうち角度調整パッドＡは、ポリウレタンフォーム製の板厚ｈ1（０.５ｃｍ）の平板状の角度調整パッド１８ａで構成され、該調整パッド１８ａによる角度調整は、該パッド１８ａを使用しない（無し）場合の（イ）と、一枚使用する場合の（ロ）とが有り、（イ）では調整角度０°、高さ０ｍｍ、（ロ）では調整角度１.５°、高さ０.５ｃｍｍに調整可能にしている。
【００５７】
前記角度調整パッドＢは、ポリウレタンフォーム製の平面矩形板の角度調整パッド１８ｂで構成され、その表面の両側に高さを異にする緩やかな山形の二つの凸部２０，２１が突設され、それらの高さｈ2，ｈ3を（ｈ1＜ｈ2＜ｈ3）に形成し、その裏面を平坦面に形成している。実施形態ではｈ2を１.３ｃｍ、ｈ3を１.８ｃｍに形成している。
【００５８】
前記角度調整パッド１８ｂによる顔面の角度調整は、高さの低い凸部２０を前側、つまり頚椎側に配置する図７（ｂ）（イ）の場合と、凸部２１を前側の頚椎側に配置する図７（ｂ）（ロ）の場合とがある。前者の場合は調整角度を３.０°、高さを１.３ｃｍに調整可能にしており、後者の場合は調整角度を５.０°、高さを１.８ｃｍに調整可能にしている。
そして、前記角度調整パッド１８ｂの前後位置を変えることによって、調整角度と高さを二様に設定可能にし、部品点数の低減と構成の合理化、並びに調整作業の容易化を図っている。
【００５９】
更に、角度調整パッドＣは顎の角度調整パッド１８ｃはポリウレタンフォーム製の平面矩形板の角度調整パッド１８ｃで構成され、その表面の両側に高さを異にする緩やかな山形の凸部２２，２３が突設され、それらの高さｈ4，ｈ5を（ｈ3＜ｈ4＜ｈ5）に形成し、その裏面を平坦面に形成している。実施形態ではｈ4を２.３ｃｍ、ｈ5を２.８ｃｍに形成している。
【００６０】
前記角度調整パッド１８ｃによる角度調整は、高さの低い凸部２２を前側、つまり頚椎側に配置する図７（ｃ）（イ）の場合と、凸部２３を前側、つまり頚椎側に配置する図７（ｂ）（ロ）の場合とがある。
前者の場合は調整角度を７.０°、高さを２.３ｃｍに調整可能にしており、後者の場合は調整角度を９.０°高さを２.８ｃｍに調整可能にしている。
そして、前記角度調整パッド１８ｃの前後位置を変えることによって、調整角度と高さを二様に設定可能にし、部品点数の低減と構成の合理化、並びに調整作業の容易化を図っている。
【００６１】
この場合、高さ調整パッド１９や頚椎ベースパッド１７ａ，１７ｂの使用の有無および数量は、これらが頭部重量によって押圧され、発明者の実験では寝姿勢における高さや顔面角度に及ぼす影響が小さいことが確認された。
これに対し、角度調整パッド１８の使用の有無は、頚椎と後頭部との相対的な高さによって、それらの位置が相対的に変化し顔面が起伏するから、寝姿勢が変化し顔面角度に及ぼす影響が大きいことが確認された。
【００６２】
このような頚椎ベースパッド１７ａ，１７ｂと高さ調整パッド１９との組み合わせ、および角度調整パッド１８ａ〜１８ｃの選択は、前記パーソナルコンピュータの演算によって合理的かつ速やかに演算可能にされている。
すなわち、前記パーソナルコンピュータには後述する計測データと、予め記憶された解析情報を基に、使用者２の頭部ないし顔面骨格に対応した適正な枕の高さと顔面角度を演算し、この演算値を基に寝姿勢における枕９の適正な高さと顔面角度を調整可能にしている。
【００６３】
前記パーソナルコンピュータにはセファログラム画像とデジタルカメラ画像、実施形態ではタブレット画像の下顎突出度（角度）、すなわち図３の∠ＳＮＢに対応する∠Ｐ1Ｐ2Ｐ4の相関関係を示す第１直線式と、この第１直線式の傾き係数に下顎突出度（角度）∠ＳＮＢに対応する∠Ｐ1Ｐ2Ｐ4の計測値を乗じて算出する第１基準係数Ｘ1の算出式、が記憶されている。
【００６４】
更に、前記パーソナルコンピュータにはセファログラム画像とデジタルカメラ画像の上顎突出度（角度）、すなわち図３の∠ＳＮＡに対応する∠Ｐ1Ｐ2Ｐ3相関関係を示す第２直線式と、この第２直線式の傾き係数に上顎突出度（角度）∠ＳＮＡに対応する∠Ｐ1Ｐ2Ｐ3の計測値を乗じて算出する第２基準係数Ｘ2の算出式、とが記憶されている。
実施形態では下顎突出度（角度）∠Ｐ1Ｐ2Ｐ4と、上顎突出度（角度）∠Ｐ1Ｐ2Ｐ3の計測方法は、パーソナルコンピュータによって△Ｐ1Ｐ2Ｐ4および△Ｐ1Ｐ2Ｐ3の各辺の長さを基に余弦定理または三角関数によって演算している。
【００６５】
図３において、Ｓ点はセファログラム画像における気道の縁、Ｎ点は鼻鞍部、Ａ点は鼻下部、Ｂ点は唇下部である。Ｐ1は前記Ｓ点に対応するデジタルカメラ画像における耳珠、Ｐ2はＮ点に対応する鼻鞍部の表皮部、Ｐ3はＡ点に対応する鼻下部の表皮部、Ｐ4は唇下部に対応する表皮部、Ｐ5は下顎（オトガイ）前点、Ｐ6は下顎角点Ｐである。
【００６６】
また、前記パーソナルコンピュータには、枕の高さ係数Ｚ1，Ｚ2の計算式が男女別に記憶され、この計算式は前記∠ＳＮＢに対する男女別の制御係数Ｃｂｎ，Ｃｂｏから、前記第１基準係数Ｘ1を差し引いて求めている。
そして、前記各枕の高さ係数Ｚ1，Ｚ2を基に、枕の適正な高さを算出する計算式が男女別に記憶され、その適正な高さの計算式は、男女別の枕の高さ係数Ｚ1，Ｚ2のそれぞれに係数（例えば１.０）を乗じ、これに補正値（例えば２.０）を加えて成立している。
【００６７】
また、前記パーソナルコンピュータには、枕の適正な顎の角度を算出する計算式が男女別に記憶されている。前記枕の適正な顎の角度の計算式は、男女別の枕の角度係数Ｚ3，Ｚ4のそれぞれに係数（例えば１.０）を乗じ、これに補正値（例えば１.０）を加えて成立している。
前記枕の角度係数Ｚ3，Ｚ4の計算式は、前記∠ＳＮＡに対する男女別の制御係数Ｃａｎ，Ｃａｏから、前記第２基準係数Ｘ2を差し引いて求めている。
【００６８】
更に、前記パーソナルコンピュータには、前記演算した枕の適正な高さと顔面の適正な角度を基に、その適正な高さと角度を実現可能な頚椎ベースパッド１７ａ，１７ｂと高さ調整パッド１９との組み合わせ、およびその際の高さ調整パッド１９の使用数量、並びに角度調整パッド１８ａ〜１８ｃの組み合わせを演算可能にしている。
【００６９】
このため、前記パーソナルコンピュータには、一または二枚の高さ調整パッド１９の上に、角度調整パッド１８ａ〜１８ｃの選択した一を載せ、該角度調整パッド１８ａ〜１８ｃの一の上に一または二枚の頚椎ベ−スパッド１７ａまたは１７ｂを載せ、該頚椎ベースパッド１７ａの上に錘２５を載せた際の、頚椎部と後頭部の沈み込み後におけるそれらの角度θ、または顔面角度線ｍ’を計測し、それらの計測値を記憶している。
この場合、前記角度θは、睡眠時における頚椎部と後頭部との高さ位置で形成する顎の傾斜角度若しくは頭部ないし顔面の傾斜角度、つまり顔面角度に相当する。
したがって、前記角度θを計測することによって、睡眠時における顔面角度と推定し得ることになる。
【００７０】
前記計測は図８のように、平坦な計測台２４上に例えば一枚の高さ調整パッド１９を載せ、該高さ調整パッド１９の上に角度調整パッド１８ａ〜１８ｃの一つを載せ、該角度調整パッド１８ｂ上に例えば頚椎ベースパッド１７ａと１７ｂを載せ、その上側の頚椎ベースパッド１７ａ上の頚椎載置部である凸部と、後頭部を載置する凹部とに錘２５を別々に載せている。
前記錘２５は人の頭部に見立てた大きさと重量に形成され、この錘２５による高さ調整パッド１９と、角度調整パッド１８ｂ、頚椎ベースパッド１７ａ、１７ｂの沈み込み後の変化を前記タブレット３で撮影し、その画像を基に頚椎ベースパッド１７ａ、１７ｂの沈み込み後の計測台２４上からの高さＨと、後頭部の沈み込み後の計測台２４上からの高さＨ’と、前記顔面相当角度θを計測している。
【００７１】
その際、頚椎部と後頭部の二箇所における錘２５の載置毎に、前記高さＨ，Ｈ’と顎の角度θを計測し、それらの計測値を累積することによって、最終的な高さＨと顔面角度θとしている。
図８において、後頭部の載置部から計測台２４に下ろした錘２５の垂線と、計測台２４との交点をＤ、頚椎の載置部を通る錘２５の垂線と計測台２４との交点をＥ、頚椎の沈み込み後の位置をＦ、Ｆの水平線とＤの垂線との交点をＧ、後頭部の沈み込み後の位置をＲ、頚椎７から後頭部までの距離ＤＥをＬとすると、頚椎と後頭部の沈み込み後の角度θは、∠ＧＦＲで表される。
そこで、直角三角形△ＧＦＲの三辺の長さを計測し、それらを基に余弦定理またはθ＝ｔａｎ-1Ｈ−Ｈ’/Ｌから、前記角度θを算出する。実施形態ではＬとして標準的な数値である１５０ｍｍを採用している。
【００７２】
こうして、例えば一枚の高さ調整パッド１９と、一枚の角度調整パッド１８ｃと、二枚の頚椎ベースパッド１７ａ、１７ｂを使用する場合における、それぞれの頚椎の高さと顔面の角度を記憶させる。この場合、二枚の頚椎ベースパッド１７ａ、１７ｂを使用する組み合わせは図６の高タイプ高さ調整に属し、これに枕９の硬さを指定すれば、適正な枕を得られる。
次に、高さ調整パッド１９と、角度調整パッド１８ｃと、頚椎ベースパッド１７ａまたは１７ｂを使用する別の組み合わせを設定し、その際の頚椎の高さと顎の角度を計測して記憶させ、その際の頚椎ベースパッド１７ａ、１７ｂの使用形態と数量によって高または低タイプ高さ調整を特定する。
【００７３】
この後、高さ調整パッド１９の枚数を変え、角度調整パッド１８ａ〜１８ｃの一を選択し、頚椎ベースパッド１７ａまたは１７ｂを選択して、それらの組み合わせを種々変更し、その際の頚椎の高さと後頭部の沈み込み後の高さＨ，Ｈ’，θを計測することによって、各種パッドの組み合わせを特定可能にする。
【００７４】
図９は前記計測値を基に、各種パッド１７ａ、１７ｂ、１８ａ〜１８ｃによる枕の高さと顔面角度の計測値を分布し、これに低タイプ調整と高タイプ調整の調整モードを加え、これらの相関関係から各種パッド１７ａ、１７ｂ、１８ａ〜１８ｃ、１９の組み合わせを検索可能にしている。
【００７５】
例えば図９において「高さ２.０、角度０.０」の組み合わせは、低タイプ高さ調整と指示されているから、先ず図５（ａ）の「高さ２.０」の組み合わせと考えられ、また「角度０.０」から角度調整パッド１８ａを使用しない、組み合わせと考えられる。
したがって、前記組み合わせは硬軟何れかのサイドパックを配置した枕９に対し、頚椎ベースパッド１７ａと高さ調整パッド１９を使用せず、かつ角度調整パッド１８ａを使用しない、組み合わせが適当である。
【００７６】
また、図９において「高さ４.０、角度３.０」の組み合わせは、低タイプ高さ調整と指示されているから、先ず図５（ａ）または（ｂ）の「高さ２.０または３.０」の組み合わせと考えられ、次に「角度３.０」から図７（ｂ）（イ）の角度調整パッド１８ｂと考えられる。
ただ、この場合は高さが１.３ｃｍ増加するから、前記図５（ａ）または（ｂ）のうち、図５（ａ）の場合は高さが３.３になり、図５（ｂ）の場合は高さが４.３になるため、図５（ｂ）の組み合わせが適当と考えられる。
したがって、前記組み合わせは硬軟何れかのサイドパックを配置した枕９に対し、頚椎ベースパッド１７ａと一枚の高さ調整パッド１９を使用し、かつ角度調整パッド１８ｂは図７（ｂ）（イ）のように配置する、組み合わせが適当である。
【００７７】
更に、図９において「高さ５.５、角度５.０」の組み合わせは、高タイプ高さ調整と指示されているから、先ず図６（ａ）または（ｂ）の「高さ４.０または５.０」の組み合わせと考えられる。
次に、「角度５.０」から、図７（ｂ）（ロ）の角度調整パッド１８ｂと考えられ、この場合は高さが１.８ｃｍ増加するから、前記図６（ａ）または（ｂ）のうち、図６（ａ）の場合は高さが５.８になり、図６（ｂ）の場合は高さが６.８になるから、図６（ａ）の組み合わせが適当と考えられる。
したがって、前記組み合わせは硬軟何れかのサイドパックを配置した枕９に対し、頚椎ベ−スパッド１７ａ，１７ｂと、高さ調整パッド１９を使用せず、かつ角度調整パッド１８ｂは図７（ｂ）（ロ）のように配置する、組み合わせが適当である。
【００７８】
また、図９において「高さ７.５、角度９.０」の組み合わせは、高タイプ高さ調整と指示しているから、先ず図６（ｂ）または（ｃ）の「高さ５.０または６.０」の組み合わせと考えられる。
次に、「角度９.０」から図７（ｃ）（ロ）の角度調整パッド１８ｃと考えられ、この場合は高さが２.８ｃｍ増加するから、前記図６（ｂ）または（ｃ）のうち、図６（ｂ）の場合は高さが７.８になり、図６（ｃ）の場合は高さが８.８になるから、図６（ｂ）の組み合わせが適当と考えられる。
したがって、前記組み合わせは硬軟何れかの枕９に対し、頚椎ベースパッド１７ａ，１７ｂと、高さ調整パッド１９を１枚使用し、かつ角度調整パッド１８ｃは図７（ｃ）（ロ）のように配置する、組み合わせが適当である。
【００７９】
こうして演算された調整パッドの組み合わせは、パーソナルコンピュータによってタブレット３の画面に、例えば図１０のように表示される。
すなわち、同図には「高さ４.０、角度３.０」の前記組み合わせに使用する頚椎ベースパッド１７ａと、一枚の高さ調整パッド１９と、角度調整パッド１８ｂと、それらの配置状況が表示され、また使用者２の好みの硬さのサイドパック１３ａ，１３ｂが表示される
【００８０】
そこで、スタッフ１は前記表示画面を基に指示された頚椎ベースパッド１７ａと、一枚の高さ調整パッド１９と、角度調整パッド１８ｂと、好みの硬さのサイドパック１３ａ，１３ｂを用意する。
そして、前記サイドパック１３ａ，１３ｂを開口部１０から枕９の両側に挿入し、また頚椎ベースパッド１７ａと角度調整パッド１８ｂをパッドケース１５に重合して収容し、これをサイドパック１３ａ，１３ｂの間の中央部１４に挿入する。
次に、開口部１０から仕切片１２ｃの直下に一枚の高さ調整パッド１９を挿入し、スライドファスナー１１を操作して開口部１０を閉鎖する。この状況は図１０のようである。
【００８１】
こうして所定の各種パッド１７ａ，１８ｂ，１９を組み合わせ、またサイドパック１３ａ，１３ｂを挿入後、この調整枕９を施術用ベッド５に載せ、該ベッド５に使用者２が仰臥位姿勢で横たわり、後頭部を前記枕９の角度調整パッド１８ｂと頚椎ベースパッド１７ａ上に載せて試し寝し、その寝姿勢を確認する。この状況は図１（ｅ）のようである。
そして、試し寝による前記寝姿勢における後頭部の位置や頚椎７の位置と高さ、頭部または顔面角度、若しくは顎の傾斜角度、気道２６の閉塞の有無、サイドパック１３ａ，１３ｂの感触の適否を確認し、前記組み合わせの当否を確認する。
【００８２】
そして、試し寝における不具合な部位に対応する頚椎ベースパッド１７ａ、角度調整パッド１８ｂ、高さ調整パッド１９、サイドパック１３ａ，１３ｂを交換して、前記不具合を解消する。この状況は図１（ｆ）のようである。
こうして前記不具合を解消後、使用者２は調整後の枕９に後頭部を載せて仰臥位姿勢をとり、この寝姿勢をタブレット３によって確認用に撮影し、その画像を基に枕９の高さと顔面角度の適否を確認する。この状況は図１（ｇ）のようである。
そして、枕９の調整の適正状態を確認し、調整状態が良好の場合は調整後の枕９を使用者２に提供して、一連の調整が終了する。この状況は図１（ｈ）のようである。
【００８３】
こうして調整した枕９の使用状況は図１１のようである。前記枕９は前記「高さ４.０、角度３.０」に調整されている。
この場合の使用者２の寝姿勢は、図示のように後頭部の位置が頸椎よりも沈み、顎の位置がベッド５と略水平に位置し、その顔面角度αは前記顔面相当角度θと略等しく（α≒θ）、その顔面角度線ｍは水平線より僅かに下向きに傾斜し、気道２６が十分広く確保され自然な寝呼吸が得られているから、睡眠時無呼吸ないしその症状の発生を防止し得る。
【００８４】
これに対し、例えば図１２（ａ）のように枕Ｑの後頭部の高さが使用者２の好みに合致していても、頸椎部の高さが高いと顎が上がり過ぎる寝姿勢になり、その顔面角度βは前記角度θより大きく（θ＜β）、顔面角度線ｍが斜め上向きになって、気道２６は十分広く確保され呼吸し易いが、口が開いてしまう問題がある。
一方、図１２（ｂ）では枕Ｑの後頭部の高さが使用者２の好みに合致していても、頸椎部の高さが低いために顎を引いた寝姿勢になり、その場合の顔面角度γは前記計測角度θより大きく（θ＜γ）、その顔面角度線ｍは斜め下向きになって気道２６が狭くなり、呼吸がし辛く睡眠時無呼吸ないしその症状発生の懸念がある。
【００８５】
このように本発明は、放射線被爆の心配がなく、枕の使用者の顔面側部画像を基に睡眠時における枕の最適な高さと顔面角度を安全かつ合理的に解析し、その解析結果を基に各種の調整部材を選択して、寝姿勢における枕の最適な高さと顔面角度を調整し、理想的な寝姿勢と寝呼吸を得られ快適で質の高い睡眠を得られるとともに、無呼吸睡眠を防止できるようにしたものである。
【産業上の利用可能性】
【００８６】
本発明の枕による寝姿勢の調整方法および調整枕は、放射線被爆の心配がなく、枕の使用者の顔面側部画像を基に睡眠時における枕の最適な高さと顔面角度を安全で安価かつ合理的に解析し、その解析結果を基に寝姿勢における枕の最適な高さと顔面角度を調整し、理想的な寝姿勢と寝呼吸を得られ快適で質の高い睡眠を得られるとともに、無呼吸睡眠を防止できる。
【符号の説明】
【００８７】
２                      使用者
３                      タブレット
９                      枕（調整枕）
１３ａ，１３ｂ          サイドパック
１４                    中央部
１５                    パッドケース
１７ａ，１７ｂ          調整部材（頚椎ベースパッド）
１８ａ〜１８ｃ          調整部材（角度調整パッド）
１９                    調整部材（高さ調整パッド）
【００８８】
２１〜２３              凸部
２５                    錘
Ｐ1〜Ｐ6                計測点
Ｐ1                     耳珠
Ｐ2                     鼻根凹部
Ｐ3                     鼻下部
Ｐ4                     唇下凹部
【００８９】
∠Ｐ1Ｐ2Ｐ3             上顎突出度
∠Ｐ1Ｐ2Ｐ4             下顎突出度
ｍ，ｍ’                顔面角度線
α，β，γ              顔面角度
θ                      顔面相当角度
【図１】
0006466092.tif 000002
【図２】
0006466092.tif 000003
【図３】
0006466092.tif 000004
【図４】
0006466092.tif 000005
【図５】
0006466092.tif 000006
【図６】
0006466092.tif 000007
【図７】
0006466092.tif 000008
【図８】
0006466092.tif 000009
【図９】
0006466092.tif 000010
【図１０】
0006466092.tif 000011
【図１１】
0006466092.tif 000012
【図１２】
0006466092.tif 000013